(57)【要約】【課題】端末を通じて提供されるストリーミングコンテンツ上で特定単語を広告単語に置換して提供することによって、ストリーミングコンテンツの著作者には収益を提供し、広告主により効率的な広告機能を提供する。【解決手段】本発明はウェブ上コンテンツの広告方法及びシステムに係ることであって、ストリーミングコンテンツを格納するコンテンツ提供サーバーと、広告単語を格納する広告提供サーバーと、を含み、前記コンテンツ提供サーバーは前記ストリーミングコンテンツを格納するコンテンツ処理部と、前記ストリーミングコンテンツ上の単語を前記広告提供サーバーから受信した広告単語に置換して第１端末に提供する広告処理部と、を含む。【選択図】図１
2019050061.tif 000002
【特許請求の範囲】
【請求項１】
ストリーミングコンテンツを格納するコンテンツ提供サーバーと、
広告単語を格納する広告提供サーバーと、を含み、
前記コンテンツ提供サーバーは、
前記ストリーミングコンテンツを格納するコンテンツ処理部と、
前記ストリーミングコンテンツ上の単語を前記広告提供サーバーから受信した広告単語に置換して第１端末に提供する広告処理部と、
第２端末から前記ストリーミングコンテンツ上の単語を広告単語に置換するか、又は置換の水準を設定する制御信号を受信し、前記受信した制御信号に相応した設定を実行する広告設定部と、を含むウェブ上コンテンツの広告システム。
【発明の詳細な説明】
【技術分野】
【０００１】
本発明の実施形態はウェブ上コンテンツの広告方法及びシステムに係る。
【背景技術】
【０００２】
モバイル端末関連技術の発展にしたがって最近では既存の個人用コンピュータ（Ｐｅｒｓｏｎａｌ  Ｃｏｍｐｕｔｅｒ：ＰＣ）で遂行された作業のほとんどがモバイル端末でも遂行可能である。したがって、携帯電話、ＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）、ＭＰ３プレーヤー、電子辞書等モバイル端末は電子本（ｅ−ｂｏｏｋ）、新聞記事等のテキストコンテンツや、漫画、絵等のイメージコンテンツを再生する目的としても多く使用されている。テキスト及びイメージコンテンツは文字又は映像が含まれ、ストーリーの展開に応じて上から下に、又は左側から右側に等の一定な配置方向を有する特徴がある。
【０００３】
従来のテキスト及びイメージコンテンツ提供技術の一般的な形態では、紙に印刷された形態のオフラインテキスト及びイメージコンテンツをスキャンした、スキャンされたオフラインテキスト及びイメージの任意領域を指定して手作業でモバイル端末の画面の大きさに合わせて編集乃至修正し、これをモバイル端末に提供する。
【０００４】
現在、モバイル端末用テキスト及びイメージコンテンツはほとんど専門的なモバイル端末用コンテンツ提供者（ｍｏｂｉｌｅ  ｃｏｎｔｅｎｔｓ  ｐｒｏｖｉｄｅｒ）によってサービスされており、これらは無線通信事業者によって異なる接続形態でモバイルテキスト及びイメージコンテンツを提供している。
【０００５】
より具体的には、ウェブ小説、ウェブトゥーン等のストリーミング形式のデジタルコンテンツは既存の電子本のように全体の分量を使用者のモバイル端末にダウンロードして使用するのではなく、サーバーからページ単位に呼出してモバイル端末上に表示される。したがって、ストリーミング形式のデジタルコンテンツはサーバー上で内容を修正すれば、その後直ちにサービスユーザが修正されたコンテンツを受信することができる。
【０００６】
一方、モバイル端末用コンテンツ提供者にとって広告は主な収入源の中で１つであり、現実的に広告を挿入する空間には制限があり、コンテンツユーザの視線の移動は制限的であるので、コンテンツユーザの拒否感を最少化しながらも、目を引く空間は限定されている。
【０００７】
したがって、テキスト及びイメージコンテンツをモバイル端末に最適化された再生環境に合うように自動に変換して提供しながらも、コンテンツ提供者の広告収益性を確保できるコンテンツ変換及び広告挿入技術が要求されている。
【先行技術文献】
【特許文献】
【０００８】
【特許文献１】韓国特許公開第１０−２０１０−００３０４６４号明細書
【発明の概要】
【発明が解決しようとする課題】
【０００９】
本発明は前述した問題を解決するために案出されたものであって、本発明の目的は端末を通じて提供されるストリーミングコンテンツ上で特定の単語を広告用の単語に置換して提供することによって、ストリーミングコンテンツの著作者には収益を提供し、広告主にはより効率的な広告機能を提供することにある。
【００１０】
また、本発明の他の目的はストリーミングコンテンツ上の単語ではない文章全体を広告文章に置換できるようにして、より効率的な広告が可能であるようにすることにある。
【００１１】
また、本発明のその他の目的は著作者がストリーミングコンテンツ上の単語を広告単語に置換するか、又は文章を広告単語に置換するかを設定できるようにし、広告置換の水準を設定できるようにして、自分のストリーミングコンテンツの作品性にあまりにも毀損されない範囲内で適切な量の広告が行われるように選択できるようにすることにある。
【００１２】
また、本発明のその他の目的はストリーミングコンテンツのユーザが端末のウェブ上に表示された広告単語をクリックすれば、前記広告単語にリンクされている広告資料を提供して、より直接的な広告機能を提供できるようにすることにある。
【００１３】
また、本発明のその他の目的は著作者が端末を通じて広告収益情報を直接確認して自分の著作物による収益に対する客観的なデータを確認できるようにすることにある。
【課題を解決するための手段】
【００１４】
前述した問題を解決するための本実施形態に係るウェブ上コンテンツの広告システムは、ストリーミングコンテンツを格納するコンテンツ提供サーバーと、広告単語を格納する広告提供サーバーと、を含み、前記コンテンツ提供サーバーは、前記ストリーミングコンテンツを格納するコンテンツ処理部と、前記ストリーミングコンテンツ上の単語を前記広告提供サーバーから受信した広告単語に置換して第１端末に提供する広告処理部と、第２端末から前記ストリーミングコンテンツ上の単語を広告単語に置換するか、又は置換の水準を設定する制御信号を受信し、前記受信した制御信号に相応した設定を実行する広告設定部と、を含む。
【００１５】
本発明の他の一実施形態に係るウェブ上コンテンツの広告方法は、コンテンツ提供サーバーがストリーミングコンテンツを格納する段階と、前記コンテンツ提供サーバーが第２端末から前記ストリーミングコンテンツ上の単語を広告単語に置換するか、又は置換の水準を設定する制御信号を受信し、前記受信した制御信号に相応した設定を実行する段階と、前記コンテンツ提供サーバーが前記ストリーミングコンテンツ上の単語を前記広告提供サーバーから受信した広告単語に置換する段階と、前記コンテンツ提供サーバーが前記広告単語に置換したストリーミングコンテンツを第１端末に提供するストリーミングコンテンツ提供段階と、を含む。
【発明の効果】
【００１６】
本発明によれば、端末を通じて提供されるストリーミングコンテンツ上で特定単語を広告単語に置換して提供することによって、ストリーミングコンテンツの著作者には収益を提供し、広告主にはより効率的な広告機能を提供することができる。
【００１７】
また、本発明によれば、ストリーミングコンテンツ上の単語ではない文章の全体を広告文章に置換してより効率的な広告が可能するようにすることができる。
【００１８】
また、本発明の実施形態によれば、著作者がストリーミングコンテンツ上の単語を広告単語に置換するか、又は文章を広告単語に置換するかを設定することができ、広告置換の水準を設定して、自分のストリーミングコンテンツの作品性にあまりにも毀損されない範囲内で適切な量の広告が行われるように選択することができる。
【００１９】
また、本発明によれば、ストリーミングコンテンツのユーザが端末のウェブ上に表示された広告単語をクリックすれば、前記広告単語にリンクされている広告資料を提供してより直接的な広告機能を提供することができる。
【００２０】
また、本発明によれば、著作者が端末を通じて広告収益情報を直接確認して自分の著作物による収益に対する客観的なデータを確認することができる。
【図面の簡単な説明】
【００２１】
【図１】本発明の一実施形態に係るウェブ上コンテンツの広告システムの構成図である。
【図２】本発明の一実施形態に係るウェブ上コンテンツの広告システムのコンテンツ提供サーバーの構成図である。
【図３】本発明の一実施形態に係るウェブ上コンテンツの広告方法を説明するフローチャートである。
【図４】本発明の一実施形態に係るウェブ上コンテンツの広告方法を説明するための図面である。
【図５】本発明の一実施形態に係るウェブ上コンテンツの広告方法を説明するための図面である。
【図６】本発明の一実施形態に係るウェブ上コンテンツの広告方法を説明するための図面である。
【発明を実施するための形態】
【００２２】
以下では、添付した図面を参照して望ましい本発明の一実施形態に対して詳細に説明する。但し、実施形態を説明することにおいて、関連された公知機能或いは構成に対する具体的な説明が本発明の要旨を不必要に曖昧にすることと判断される場合、それに対する詳細な説明は省略する。また、図面での各構成要素の大きさは説明のために誇張されることができ、実際に適用される大きさを意味することではない。
【００２３】
図１は本発明の一実施形態に係るウェブ上コンテンツの広告システムの構成図であり、図２は本発明の一実施形態に係るコンテンツ提供サーバーの構成図である。
【００２４】
図１及び図２を参照して本発明の一実施形態に係るウェブ上コンテンツの広告システムの構成及びコンテンツ提供サーバーの構成を説明する。
【００２５】
図１に図示されたように本発明の一実施形態に係るウェブ上コンテンツの広告システムはコンテンツ提供サーバー１２０及び広告提供サーバー１３０を含んで構成される。
【００２６】
コンテンツ提供サーバー１２０はストリーミングコンテンツ（ｓｔｒｅａｍｉｎｇ  ｃｏｎｔｅｎｔｓ）を格納する。この時、本発明の実施形態に係るストリーミングコンテンツ（ｓｔｒｅａｍｉｎｇ  ｃｏｎｔｅｎｔｓ）というのは従来のモバイル機器又はコンピュータ端末に全体分量をダウンロードした後に使用が可能なコンテンツとは異なりに、モバイル機器又はコンピュータ端末がコンテンツ提供サーバーからページ又は一定のデータ単位に実時間に受信して使用できるコンテンツを言う。
【００２７】
例えば、モバイル機器又はコンピュータ端末にダウンロードした後に読み出す既存の電子本と異なりに、ストリーミングコンテンツ形態のウェブ小説又はウェブトゥーン等は実時間に必要である回次又は範囲くらいを実時間に受信して利用することができる。
【００２８】
このようなストリーミングコンテンツを提供するために、著作者は端末１１０を通じてストリーミングコンテンツを作成し、作成したストリーミングコンテンツをコンテンツ提供サーバー１２０に伝送する。
【００２９】
したがって、図２に図示されたようにコンテンツ提供サーバー１２０のコンテンツ処理部１２１は端末１１０で著作者が作成したストリーミングコンテンツを受信して格納する。
【００３０】
一方、前記端末１１０としてはコンピュータ端末、スマート端末、又はＰＤＡ端末等のストリーミングコンテンツを利用できる多様な端末が使用されることができる。
【００３１】
広告提供サーバー１３０は広告単語を格納する。より具体的に前記広告提供サーバー１３０はデータベース１を含んで前記データベース１３５上に広告単語を格納するように構成される。
【００３２】
また、図２に図示されたようにコンテンツ提供サーバー１２０は広告処理部１２３をさらに含んで構成され、前記広告処理部１２３は前記ストリーミングコンテンツ上の単語を前記広告提供サーバー１３０から受信した広告単語に置換することができる。
【００３３】
より詳細に説明すれば、広告処理部１２０は端末１４０を通じて提供されるストリーミングコンテンツ上で特定単語を広告単語に置換して提供することによって、ストリーミングコンテンツの著作者には収益を提供し、広告主により効率的な広告を提供することができる。
【００３４】
例えば、広告処理部１２０はストリーミングコンテンツ上で'ドリップコーヒー'という単語を'ボスコーヒー'に置換して端末に１４０に伝送することによって、ストリーミングコンテンツを通じた広告を提供することができる。
【００３５】
それだけでなく、本発明の他の実施形態によれば、前記広告処理部１２３は前記ストリーミングコンテンツ上の単語ではない文章の全体を前記広告提供サーバー１３０から受信した広告文章に置換して端末１４０に提供するように構成されることもあり得る。
【００３６】
このように、広告処理部１２３がストリーミングコンテンツ上の文章を広告文章に置換することによって、より効果的な広告機能を提供することができる。
【００３７】
一方、著作者はストリーミングコンテンツ上の単語を広告単語に置換するか、又は文章を広告単語に置換するか、又は置換の水準を設定して、自分のストリーミングコンテンツの作品性にあまりにも毀損されない範囲内で適切な量の広告が行われるように選択することができる。
【００３８】
即ち、著作者は端末１１０を通じて上記のような設定のための制御信号を伝送し、コンテンツ提供サーバー１２０の広告設定部１２２は端末１１０から前記ストリーミングコンテンツ上の単語を広告単語に置換するか否か、又は置換の水準を設定する制御信号を受信して、前記受信した制御信号に相応した設定を実行することができる。
【００３９】
それだけでなく、本発明の実施形態によれば、広告提供サーバー１３０はストリーミングコンテンツ上で広告単語が選択される信号を受信すれば、端末１４０のウェブを通じて前記広告単語に関連された広告を直接提供することもできる。
【００４０】
より詳細に説明すれば、端末１４０のウェブを通じてストリーミングコンテンツを提供し、前記端末１４０で表示されるウェブを通じて提供されるストリーミングコンテンツ上で広告単語が選択されれば、前記広告提供サーバー１３０の制御によって前記広告単語に関連された広告を前記端末１４０に伝送することができる。
【００４１】
例えば、ストリーミングコンテンツのユーザが端末１４０のウェブ上に表示された広告単語をクリックすれば、前記広告単語にリンクされている広告資料がポップアップ表示窓に表示されるか、或いは別のウェブに表示されることができ、広告サイトが直接表示されるように構成されることができる。
【００４２】
一方、著作者は端末１１０を通じてコンテンツ提供サーバー１２０又は広告提供サーバー１３０に広告収益情報を要請し、広告提供サーバー１３０は発生した広告収益情報を前記端末１１０に伝送することができる。
【００４３】
より詳細に説明すれば、広告提供サーバー１３０はストリーミングコンテンツ上の単語を広告単語に置換して発生した広告収益情報のみでなく，ストリーミングコンテンツ上で広告単語が選択されて発生した広告収益情報を端末１１０に伝送することができる。
【００４４】
図３は本発明の一実施形態に係るウェブ上コンテンツの広告方法を説明するフローチャートであり、図４乃至図６は本発明の一実施形態に係るウェブ上コンテンツの広告方法を説明するための図面である。
【００４５】
以下、図３乃至図６を参照して本発明の一実施形態に係るウェブ上コンテンツの広告方法を説明する。
【００４６】
著作者は端末を通じてストリーミングコンテンツを作成し、前記作成したストリーミングコンテンツをコンテンツ提供サーバーに伝送する。したがって、コンテンツ提供サーバーは端末で著作者が作成したストリーミングコンテンツを受信して格納する（Ｓ３１０）。
【００４７】
その後、著作者は端末を通じて前記ストリーミングコンテンツ上の単語を広告単語に置換するか、又は置換の水準を設定するための制御信号を伝送し、コンテンツ提供サーバーは端末から前記ストリーミングコンテンツ上の単語を広告単語に置換するか、又は置換の水準を設定する制御信号を受信し、前記受信した制御信号に相応した設定を実行する（Ｓ３２０）。
【００４８】
その後、コンテンツ提供サーバーは前記設定にしたがってストリーミングコンテンツ上の単語を広告提供サーバーから受信した広告単語に置換する（Ｓ３３０）。
【００４９】
このために広告提供サーバーは広告単語を格納し、より具体的に前記広告提供サーバーはデータベースを含んで前記データベース上に広告単語を格納するように構成され、コンテンツ提供サーバーは前記広告単語を広告提供サーバーから受信してストリーミングコンテンツ上の単語を広告単語に置換する。
【００５０】
したがって、コンテンツ提供サーバーは端末を通じて提供されるストリーミングコンテンツ上で特定単語を広告単語に置換して端末に提供し、ストリーミングコンテンツの著作者には収益を提供し、広告主には広告効果を提供する（Ｓ３４０）。
【００５１】
例えば、図４に図示されたように、コンテンツ提供サーバーがストリーミングコンテンツを提供する。この時、著作者が、広告が適用されたストリーミングコンテンツを提供するために、著作者はストリーミングコンテンツ上の単語を広告単語に置換するか、又は置換水準を設定することができる。
【００５２】
このような著作者の設定にしたがって、図４及び図５に図示されたようにコンテンツ提供サーバーがストリーミングコンテンツ上で'ドリップコーヒー'４１０という単語を'ボスコーヒー'５１０に置換して端末に伝送することによって、ストリーミングコンテンツを通じた広告を提供することができる。
【００５３】
また、図４及び図６に図示されたようにコンテンツ提供サーバーがストリーミングコンテンツ上で'ドリップコーヒー'４１０を'香り豊かでのどごしがソフトなボスコーヒー'６１０のような文章に置換して端末に伝送することによって、ストリーミングコンテンツを通じたより多変化された広告を提供することができる。
【００５４】
したがって、ストリーミングコンテンツの著作者には収益を提供することができ、広告主により効率的な広告を提供することができる。
【００５５】
この時、本発明の実施形態によれば、コンテンツ提供サーバーは前記ストリーミングコンテンツ上の文章を広告提供サーバーから受信した広告文章に置換して端末に提供して、より広告効果を極大化するように構成されることができる。即ち、ストリーミングコンテンツ上の文章を広告文章に置換することによってより効果的な広告機能を提供することができる。
【００５６】
それだけでなく、本発明の実施形態によれば、広告提供サーバーがストリーミングコンテンツ上で広告単語が直接選択される信号を受信すれば、端末のウェブを通じて前記広告単語に関連された広告を直接提供することもできる。
【００５７】
即ち、端末のウェブを通じてストリーミングコンテンツを提供し、前記端末に表示されるウェブを通じて提供されるストリーミングコンテンツ上で広告単語が選択されれば（Ｓ３５０）、前記広告提供サーバーの制御によって前記広告単語に関連された広告を前記端末に伝送する（Ｓ３６０）。
【００５８】
つまり、ストリーミングコンテンツのユーザが端末１４０のウェブ上に表示された広告単語をクリックすれば、前記広告単語にリンクされている広告資料が表示される。
【００５９】
前述したような本発明の詳細な説明では具体的な実施形態に関して説明した。しかし、本発明の範疇で逸脱しない限度内では様々な変形が可能である。本発明の技術的思想は本発明の前述した実施形態に制限されてはならなく、特許請求の範囲のみならず、この特許請求範囲と均等なものによって定めなければならない。
【符号の説明】
【００６０】
１１０ 端末（コンテンツ提供者）
１２０ コンテンツ提供サーバー
１２１ コンテンツ処理部
１２２ 広告設定部
１２３ 広告処理部
１３０ 広告提供サーバー
１ データベース
１４０ 端末（コンテンツ消費者）
【図１】
2019050061.tif 000003
【図２】
2019050061.tif 000004
【図３】
2019050061.tif 000005
【図４】
2019050061.tif 000006
【図５】
2019050061.tif 000007
【図６】
2019050061.tif 000008
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
ウェブストリーミングコンテンツをリアルタイムに必要な回数又は範囲でリアルタイムに受信して利用することができる、著作者が作成したストリーミングコンテンツを格納するコンテンツ提供サーバーと、
広告単語を格納する広告提供サーバーと、を含み、
前記コンテンツ提供サーバーは、
前記著作者の第２端末から受信される前記ストリーミングコンテンツを格納するコンテンツ処理部と、
前記ストリーミングコンテンツ上の単語を前記広告提供サーバーから受信した広告単語に置換して第１端末に提供し、ストリーミングにより第１端末に提供される前記回数又は前記範囲に対して置換をリアルタイムで行う広告処理部と、
前記第２端末から前記ストリーミングコンテンツ上の単語を広告単語に置換するか、又は置換の水準を設定する制御信号を受信し、前記受信した制御信号に相応した設定を実行する広告設定部と、を含み、
前記広告処理部は、前記広告設定部が前記第２端末から受信した前記著作者の置換設定に応じて広告を置換し、
前記コンテンツ提供サーバーの前記広告処理部は、
前記ストリーミングコンテンツ上の文章を前記広告提供サーバーから受信した広告文章に
置換して前記第１端末に提供し、
前記広告提供サーバーは、
前記第１端末のウェブを通じて提供する前記ストリーミングコンテンツ上で前記広告単語
が選択される信号を受信すれば、前記第１端末のウェブを通じて前記広告単語に関連され
た広告を提供し、
前記広告提供サーバーは、
前記ストリーミングコンテンツ上の単語を広告単語に置換して発生した広告収益情報、又
は前記ストリーミングコンテンツ上で前記広告単語が選択されて発生した広告収益情報を
第２端末に伝送する、ウェブ上コンテンツの広告システム。